【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
複数の情報処理装置からの要求に応じて映像・音声データを入出力するデータ伝送装置において、
第１の電源、第２の電源、及び第３の電源の供給を制御する電源制御部と、
前記第１の電源によって駆動され、映像・音声データが入力される入力部と、
前記第２の電源によって駆動され、映像・音声データが出力される出力部と、
前記第３の電源によって駆動され、前記複数の情報処理装置が接続されるローカルネットワークと外部ネットワークとの間のデータ伝送を実行する通信装置と、
前記通信装置が前記複数の情報処理装置の何れか一つから送信される映像・音声データ入力開始要求を受信した後、前記入力部の使用状況を確認する確認手段と、
前記確認手段によって確認した結果、前記入力部の使用状況が不使用である場合、前記入力部に対して前記映像・音声データ入力開始要求を送信した情報処理装置を割当てる割当て手段と、
前記確認手段によって確認した結果、前記入力部の使用状況が不使用である場合、前記入力部に対する前記第１の電源の供給がオンされるように前記電源制御部を制御する電源制御手段と、
を具備することを特徴とするデータ伝送装置。
【請求項２】
記憶部と、
前記割当て手段によって前記入力部に対して前記映像・音声データ入力開始要求を送信した情報処理装置が割当てられるとともに、前記電源制御手段により前記入力部に対して前記第１の電源の供給がオンにされた後、
前記入力部から入力される映像・音声データを前記記憶部に格納する格納手段と、
を具備することを特徴とする請求項１記載のデータ伝送装置。
【請求項３】
前記割当て手段によって前記入力部に対して前記映像・音声データ入力開始要求を送信した情報処理装置が割当てられるとともに、前記電源制御手段により前記入力部に対して前記第１の電源の供給がオンにされた後、
前記入力部から入力される映像・音声データを前記映像・音声データ入力開始要求を送信した情報処理装置に出力する出力手段と、
を具備することを特徴とする請求項１記載のデータ伝送装置。
【請求項４】
前記割当て手段によって前記入力部に対して前記映像・音声データ入力開始要求を送信した情報処理装置が割当てられるとともに、前記電源制御手段により前記入力部に対する前記第１の電源の供給がオンにされた後、
前記確認手段が前記出力部の使用状況を確認する手段であることを含み、
前記確認手段によって確認した結果、前記出力部が前記映像・音声データ入力開始要求を送信した情報処理装置によって使用されている場合、前記入力部から入力される映像・音声データを前記出力部を介して出力する出力手段と、を具備することを特徴とする請求項１記載のデータ伝送装置。
【請求項５】
記憶部と、
前記確認手段によって確認した結果、前記出力部が前記映像・音声データ入力開始要求を送信した情報処理装置によって使用されている場合、前記入力部から入力される映像・音声データを前記出力部を介して出力するとともに、前記入力部から入力される映像・音声データを前記記憶部へ格納する手段と、
を具備することを特徴とする請求項４記載のデータ伝送装置。
【請求項６】
前記確認手段によって確認した結果、前記出力部が前記映像・音声データ入力開始要求を送信した情報処理装置によって使用されている場合、
前記入力部から入力される映像・音声データを前記出力部を介して出力するとともに、前記入力部から入力される映像・音声データを前記映像・音声データ入力開始要求を送信した情報処理装置へ出力する手段と、
を具備することを特徴とする請求項４記載のデータ伝送装置。
【請求項７】
前記通信装置が前記映像・音声データ入力開始要求を送信した情報処理装置から送信される映像・音声データ入力終了要求を受信した後、前記入力部から入力される映像・音声データの前記記憶部への格納を停止させる手段と、
前記割当て手段による前記入力部と前記映像・音声データ入力開始要求を送信した情報処理装置との割当てを解除する割当て解除手段と、
前記電源制御手段が前記入力部に対する前記第１の電源の供給をオフするように前記電源制御部を制御する手段とを含むことを特徴とする請求項２記載のデータ伝送装置。
【請求項８】
前記通信装置が前記映像・音声データ入力開始要求を送信した情報処理装置から送信され声データの前記映像・音声データ入力開始要求を送信した情報処理装置への出力を停止させる手段と、
前記電源制御手段が前記入力部に対する前記第１の電源の供給をオフするように前記電源制御部を制御する手段とを含むことを特徴とする請求項３記載のデータ伝送装置。
【請求項９】
前記通信装置が前記映像・音声データ入力開始要求を送信した情報処理装置から送信される映像・音声データ入力終了要求を受信した後、前記入力部から入力される映像・音声データの前記記憶部への格納を停止させる手段と、
を具備することを特徴とする請求項５記載のデータ伝送装置。
【請求項１０】
前記通信装置が前記映像・音声データ入力開始要求を送信した情報処理装置から送信される映像・音声データ入力終了要求を受信した後、前記入力部から入力される映像・音声データの前記映像・音声データ入力開始要求を送信した情報処理装置への出力を停止させる手段と、
を具備することを特徴とする請求項６記載のデータ伝送装置。
【請求項１１】
複数の情報処理装置からの要求に応じて映像・音声データを入出力するデータ伝送装置において、
第１の電源、第２の電源、及び第３の電源の供給を制御する電源制御部と、
前記第１の電源によって駆動され、映像・音声データが入力される入力部と、
前記第２の電源によって駆動され、映像・音声データが出力される出力部と、
前記第３の電源によって駆動され、前記複数の情報処理装置が接続されるローカルネットワークと外部ネットワークとの間のデータ伝送を実行する通信装置と、
前記通信装置が前記複数の情報処理装置の何れか一つから送信される映像・音声データ出力開始要求を受信した後、前記出力部の使用状況を確認する確認手段と、
前記確認手段によって確認した結果、前記出力部の使用状況が不使用である場合、前記出力部に対して前記映像・音声データ出力開始要求を送信した情報処理装置を割当てる割当て手段と、
前記確認手段によって確認した結果、前記出力部の使用状況が不使用である場合、前記出力部に対する前記第２の電源の供給がオンされるように前記電源制御部を制御する電源制御手段と、
を具備することを特徴とするデータ伝送装置。
【請求項１２】
映像・音声データを記憶する記憶部と、
前記割当て手段によって前記出力部に対して前記映像・音声データ出力開始要求を送信した情報処理装置が割当てられるとともに、前記電源制御手段により前記出力部への前記第２の電源の供給がオンにされた後、
前記記憶部に記憶されている映像・音声データを前記出力部を介して出力する手段と、
を具備することを特徴とする請求項１１記載のデータ伝送装置。
【請求項１３】
前記割当て手段によって前記出力部に対して前記映像・音声データ出力開始要求を送信した情報処理装置が割当てられるとともに、前記電源制御手段により前記出力部に対して前記第２の電源の供給がオンにされた後、
前記確認手段が前記入力部の使用状況を確認する手段であることを含み、
前記確認手段によって確認した結果、前記入力部が前記映像・音声データ出力開始要求を送信した情報処理装置によって使用されている場合、前記入力部から入力される映像・音声データを前記出力部を介して出力する出力手段と、
を具備することを特徴とする請求項１１記載のデータ伝送装置。
【請求項１４】
映像・音声データを記憶する記憶部と、
前記確認手段によって確認した結果、前記入力部が前記映像・音声データ出力開始要求を送信した情報処理装置によって使用されている場合、前記入力部から入力される映像・音声データを前記記憶部に格納する手段と、
前記記憶部に格納されている映像・音声データを前記出力部を介して出力する出力手段と、
を具備することを特徴とする請求項１１記載のデータ伝送装置。
【請求項１５】
前記通信装置が前記映像・音声データ出力開始要求を送信した情報処理装置から送信される映像・音声データ出力終了要求を受信した後、前記記憶部に記憶されている映像・音声データを前記出力部を介しての出力を停止させる手段と、
前記割当て手段による前記出力部と前記映像・音声データ出力開始要求を送信した情報処理装置との割当てを解除する割当て解除手段と、
前記電源制御手段が前記出力部に対する前記第２の電源の供給をオフするように前記電源制御部を制御する手段とを含むことを特徴とする請求項１４記載のデータ伝送装置。
【請求項１６】
前記通信装置が前記映像・音声データ出力開始要求を送信した情報処理装置から送信される映像・音声データ出力終了要求を受信した後、前記記憶部に記憶されている映像・音声データの前記出力部を介した出力を停止させる手段と、
を具備することを特徴とする請求項１４記載のデータ伝送装置。
【請求項１７】
複数の情報処理装置からの要求に応じて映像・音声データを入出力するデータ伝送装置において、
第１の電源、第２の電源、第３の電源、及び第４の電源の供給を制御する電源制御部と、
前記第１の電源によって駆動され、映像・音声データが入力される入力部と、
前記第２の電源によって駆動され、映像・音声データが出力される出力部と、
前記第３の電源によって駆動され、映像・音声データをエンコード・デコード処理するエンコード・デコード処理部と、
前記第４の電源によって駆動され、前記複数の情報処理装置が接続されるローカルネットワークと外部ネットワークとの間のデータ伝送を実行する通信装置と、
前記通信装置が前記複数の情報処理装置の何れか一つから送信される映像・音声データ入出力開始要求を受信した後、前記入力部、前記出力部及び前記エンコード・デコード処理部の使用状態を確認する確認手段と、
前記確認手段による確認後、前記入力部及び前記出力部に対して前記映像・音声データ入力開始要求を送信した情報処理装置を割当てるとともに、前記エンコード・デコード処理部に対して前記複数の情報処理装置を割当てない手段と、
前記確認手段による確認後、前記入力部に対する前記第１の電源の供給をオンにし、前記出力部に対する前記第２の電源の供給をオンにし、前記エンコード・デコード処理部に対する前記第３の電源の供給をオフにするように電源制御部を制御する電源制御手段と、
を具備することを特徴とするデータ伝送装置。
【請求項１８】
前記通信装置が前記映像・音声データ入出力開始要求を送信した情報処理装置から送信される映像・音声データ入出力終了要求を受信した後、前記入力部及び前記出力部と前記映像・音声データ入出力開始要求を送信した情報処理装置との割当てを解除する割当て解除手段と、
前記電源制御手段は、
前記入力部に対する前記第１の電源の供給をオフにし、前記出力部に対する前記第２の電源の供給をオフにするように電源制御部を制御する手段とを含むことを特徴とする請求項１７記載のデータ伝送装置。
【請求項１９】
映像・音声データを入力する入力部、映像・音声データを出力する出力部、及び複数の情報処理装置が接続されるローカルネットワークと外部ネットワークとの間のデータ伝送を実行する通信装置とを具備するデータ伝送装置における電源制御方法において、
前記通信装置への電源供給をオンにするステップと、
前記通信装置が前記複数の情報処理装置の何れか一つから送信される映像・音声データ入力要求を受信した後、前記入力部の使用状況を確認するステップと、
前記確認ステップによって確認した結果、前記入力部の使用状況が不使用である場合、前記入力部に対して前記映像・音声データ入力開始要求を送信した情報処理装置を割当てるステップと、
前記確認ステップによって確認した結果、前記入力部の使用状況が不使用である場合、前記入力部への電源供給をオンにするステップと、
を具備することを特徴とする電源制御方法。
【請求項２０】
記憶部と、
前記入力部に対して前記映像・音声データ入力開始要求を送信した情報処理装置が割当てられるとともに、前記入力部への電源供給をオンにした後、
前記入力部から入力される映像・音声データを前記記憶部に格納するステップと、
を具備することを特徴とする請求項１９記載の電源制御方法。
【請求項２１】
前記入力部に対して前記映像・音声データ入力開始要求を送信した情報処理装置が割当てられるとともに、前記入力部への電源供給をオンにした後、
前記入力部から入力される映像・音声データを前記映像・音声データ入力開始要求を送信した情報処理装置に出力するステップと、
を具備することを特徴とする請求項１９記載の電源制御方法。
【請求項２２】
前記入力部に対して前記映像・音声データ入力開始要求を送信した情報処理装置が割当てられるとともに、前記入力部への電源供給をオンにした後、前記出力部の使用状況を確認するステップと、
前記確認ステップによって確認した結果、前記出力部が前記映像・音声データ入力開始要求を送信した情報処理装置によって使用されている場合、
前記入力部から入力される映像・音声データを前記出力部を介して出力するステップと、
を具備することを特徴とする請求項１９記載の電源制御方法。
【請求項２３】
前記確認ステップによって確認した結果、前記出力部が前記映像・音声データ入力開始要求を送信した情報処理装置によって使用されている場合、
前記入力部から入力される映像・音声データを前記出力部を介して出力するとともに、前記入力部から入力される映像・音声データを記憶部へ格納するステップと、
を具備することを特徴とする請求項２２記載の電源制御方法。
【請求項２４】
前記確認ステップによって確認した結果、前記出力部が前記映像・音声データ入力開始要求を送信した情報処理装置によって使用されている場合、
前記入力部から入力される映像・音声データを前記出力部を介して出力するとともに、前記入力部から入力される映像・音声データを前記映像・音声データ入力開始要求を送信した情報処理装置へ出力するステップと、
を具備することを特徴とする請求項２２記載の電源制御方法。
【請求項２５】
前記映像・音声データ入力開始要求を送信した情報処理装置から送信される映像・音声データ入力終了要求を受信した後、前記入力部から入力される映像・音声データの前記記憶部への格納を停止させるステップと、
前記入力部と前記映像・音声データ入力開始要求を送信した情報処理装置との割当てを解除する割当て解除ステップと、
前記入力部への電源供給をオフにするステップと、
を具備することを特徴とする請求項２０記載の電源制御方法。
【請求項２６】
前記通信装置が前記映像・音声データ入力開始要求を送信した情報処理装置から送信される映像・音声データ入力終了要求を受信した後、前記入力部から入力される映像・音声データの前記映像・音声データ入力開始要求を送信した情報処理装置への出力を停止させるステップと、
前記入力部への電源供給をオフにするステップと、
を具備することを特徴とする請求項２１記載の電源制御方法。
【請求項２７】
前記通信装置が前記映像・音声データ入力開始要求を送信した情報処理装置から送信される映像・音声データ入力終了要求を受信した後、前記入力部から入力される映像・音声データの前記記憶部への格納を停止させるステップと、
を具備することを特徴とする請求項２３記載の電源制御方法。
【請求項２８】
前記通信装置が前記映像・音声データ入力開始要求を送信した情報処理装置から送信される映像・音声データ入力終了要求を受信した後、前記入力部から入力される映像・音声データの前記映像・音声データ入力開始要求を送信した情報処理装置への出力を停止させるステップと、
を具備することを特徴とする請求項２４記載の電源制御方法。
【請求項２９】
映像・音声データを入力する入力部、映像・音声データを出力する出力部、映像・音声データを記憶する記憶部、及び複数の情報処理装置が接続されるローカルネットワークと外部ネットワークとの間のデータ伝送を実行する通信装置とを具備するデータ伝送装置における電源制御方法において、
前記通信装置への電源供給をオンにするステップと、
前記複数の情報処理装置の一つから送信される映像・音声データ出力要求を受信した後、前記出力部の使用状況を確認するステップと、
前記確認ステップによって確認した結果、前記出力部の使用状況が不使用である場合、前記出力部に対して前記映像・音声データ出力開始要求を送信した情報処理装置を割当てるステップと、
前記確認ステップによって確認した結果、前記出力部の使用状況が不使用である場合、前記出力部への電源供給をオンにするステップと、
を具備することを特徴とする電源制御方法。
【請求項３０】
前記出力部に対して前記映像・音声データ出力開始要求を送信した情報処理装置が割当てられるとともに、前記出力部への電源供給をオンにした後、
前記入力部の使用状況を確認するステップを具備することを特徴とする請求項２９記載の電源制御方法。
【請求項３１】
前記出力部に対して前記映像・音声データ出力開始要求を送信した情報処理装置が割当てられるとともに、前記出力部に対して電源の供給がオンにされた後、
前記記憶部に記憶されている映像・音声データを前記出力部を介して出力する手段と、
を具備することを特徴とする請求項３０記載の電源制御方法。
【請求項３２】
前記確認ステップによって確認した結果、前記入力部が前記映像・音声データ出力開始要求を送信した情報処理装置によって使用されている場合、
前記入力部から入力される映像・音声データを前記出力部を介して出力する出力ステップと、
を具備することを特徴とする請求項３１記載の電源制御方法。
【請求項３３】
前記確認ステップによって確認した結果、前記入力部が前記映像・音声データ出力開始要求を送信した情報処理装置によって使用されている場合、
前記入力部から入力される映像・音声データを前記記憶部へ格納するステップと、
前記記憶部に格納されている映像・音声データを前記出力部を介して出力する出力ステップと、
を具備することを特徴とする請求項３１記載の電源制御方法。
【請求項３４】
前記通信装置が前記映像・音声データ出力開始要求を送信した情報処理装置から送信される映像・音声データ出力終了要求を受信した後、前記記憶部に記憶されている映像・音声データの前記出力部を介する出力を停止させるステップと、
前記出力部と前記映像・音声データ出力開始要求を送信した情報処理装置との割当てを解除する割当て解除ステップと、
前記出力部への電源供給をオフにするステップと、
を具備することを特徴とする請求項３１記載の電源制御方法。
【請求項３５】
前記通信装置が前記映像・音声データ出力開始要求を送信した情報処理装置から送信される映像・音声データ出力終了要求を受信した後、前記記憶部に格納されている映像・音声データの前記出力部を介した出力を停止させるステップと、
を具備することを特徴とする請求項３３記載の電源制御方法。
【請求項３６】
映像・音声データを入力する入力部、映像・音声データを出力する出力部、映像・音声データを記憶する記憶部、映像・音声データをエンコード・デコード処理するエンコード・デコード処理部、及び複数の情報処理装置が接続されるローカルネットワークと外部ネットワークとの間のデータ伝送を実行する通信装置とを具備するデータ伝送装置における電源制御方法において、
前記通信装置への電源供給をオンにするステップと、
前記複数の情報処理装置の何れか一つから送信される映像・音声データ入出力要求を受信した後、前記入力部、前記出力部及び前記エンコード・デコード処理部の使用状態を確認するステップと、
前記確認ステップによる確認後、前記入力部及び前記出力部に対して前記映像・音声データ入力開始要求を送信した情報処理装置を割当てるとともに、前記エンコード・デコード処理部に対して前記複数の情報処理装置を割当てないステップと、
前記確認ステップによる確認後、前記入力部への電源供給をオンにし、前記出力部への電源供給をオンにし、前記エンコード・デコード処理部への電源供給をオフにするステップと、
を具備することを特徴とする電源制御方法。
【請求項３７】
前記通信装置が前記映像・音声データ入出力開始要求を送信した情報処理装置から送信される映像・音声データ入出力終了要求を受信した後、
前記入力部及び前記出力部と前記映像・音声データ入出力開始要求を送信した情報処理装置との割当てを解除する割当て解除ステップと、
前記入力部への電源供給をオフにし、前記出力部への電源供給をオフにするステップと、
を具備することを特徴とする請求項３６記載の電源制御方法。
【手続補正２】
【補正対象書類名】明細書
【補正対象項目名】００１１
【補正方法】変更
【補正の内容】
【００１１】
また、請求項１１に係る発明では、複数の情報処理装置からの要求に応じて映像・音声データを入出力するデータ伝送装置において、第１の電源、第２の電源、及び第３の電源の供給を制御する電源制御部と、前記第１の電源によって駆動され、映像・音声データが入力される入力部と、前記第２の電源によって駆動され、映像・音声データが出力される出力部と、前記第３の電源によって駆動され、前記複数の情報処理装置が接続されるローカルネットワークと外部ネットワークとの間のデータ伝送を実行する通信装置と、前記通信装置が前記複数の情報処理装置の何れか一つから送信される映像・音声データ出力開始要求を受信した後、前記出力部の使用状況を確認する確認手段と、前記確認手段によって確認した結果、前記出力部の使用状況が不使用である場合、前記出力部に対して前記映像・音声データ出力開始要求を送信した情報処理装置を割当てる割当て手段と、前記確認手段によって確認した結果、前記出力部の使用状況が不使用である場合、前記出力部に対する前記第２の電源の供給がオンされるように前記電源制御部を制御する電源制御手段とを具備することを特徴とする。
【手続補正３】
【補正対象書類名】明細書
【補正対象項目名】００１２
【補正方法】変更
【補正の内容】
【００１２】
また、請求項１７に係る発明では、複数の情報処理装置からの要求に応じて映像・音声データを入出力するデータ伝送装置において、第１の電源、第２の電源、第３の電源、及び第４の電源の供給を制御する電源制御部と、前記第１の電源によって駆動され、映像・音声データが入力される入力部と、前記第２の電源によって駆動され、映像・音声データが出力される出力部と、前記第３の電源によって駆動され、映像・音声データをエンコード・デコード処理するエンコード・デコード処理部と、前記第４の電源によって駆動され、前記複数の情報処理装置が接続されるローカルネットワークと外部ネットワークとの間のデータ伝送を実行する通信装置と、前記通信装置が前記複数の情報処理装置の何れか一つから送信される映像・音声データ入出力開始要求を受信した後、前記入力部、前記出力部及び前記エンコード・デコード処理部の使用状態を確認する確認手段と、前記確認手段による確認後、前記入力部及び前記出力部に対して前記映像・音声データ入力開始要求を送信した情報処理装置を割当てるとともに、前記エンコード・デコード処理部に対して前記複数の情報処理装置を割当てない手段と、前記確認手段による確認後、前記入力部に対する前記第１の電源の供給をオンにし、前記出力部に対する前記第２の電源の供給をオンにし、前記エンコード・デコード処理部に対する前記第３の電源の供給をオフにするように電源制御部を制御する電源制御手段とを具備することを特徴とする。
【手続補正４】
【補正対象書類名】明細書
【補正対象項目名】００１３
【補正方法】変更
【補正の内容】
【００１３】
また、請求項１９に係る発明では、映像・音声データを入力する入力部、映像・音声データを出力する出力部、及び複数の情報処理装置が接続されるローカルネットワークと外部ネットワークとの間のデータ伝送を実行する通信装置とを具備するデータ伝送装置における電源制御方法において、前記通信装置への電源供給をオンにするステップと、前記通信装置が前記複数の情報処理装置の何れか一つから送信される映像・音声データ入力要求を受信した後、前記入力部の使用状況を確認するステップと、前記確認ステップによって確認した結果、前記入力部の使用状況が不使用である場合、前記入力部に対して前記映像・音声データ入力開始要求を送信した情報処理装置を割当てるステップと、前記確認ステップによって確認した結果、前記入力部の使用状況が不使用である場合、前記入力部への電源供給をオンにするステップとを具備することを特徴とする。
【手続補正５】
【補正対象書類名】明細書
【補正対象項目名】００１４
【補正方法】変更
【補正の内容】
【００１４】
また、請求項２９に係る発明では、映像・音声データを入力する入力部、映像・音声データを出力する出力部、映像・音声データを記憶する記憶部、及び複数の情報処理装置が接続されるローカルネットワークと外部ネットワークとの間のデータ伝送を実行する通信装置とを具備するデータ伝送装置における電源制御方法において、前記通信装置への電源供給をオンにするステップと、前記複数の情報処理装置の一つから送信される映像・音声データ出力要求を受信した後、前記出力部の使用状況を確認するステップと、前記確認ステップによって確認した結果、前記出力部の使用状況が不使用である場合、前記出力部に対して前記映像・音声データ出力開始要求を送信した情報処理装置を割当てるステップと、前記確認ステップによって確認した結果、前記出力部の使用状況が不使用である場合、前記出力部への電源供給をオンにするステップとを具備することを特徴とする。
【手続補正６】
【補正対象書類名】明細書
【補正対象項目名】００１５
【補正方法】変更
【補正の内容】
【００１５】
また、請求項３６に係る発明では、映像・音声データを入力する入力部、映像・音声データを出力する出力部、映像・音声データを記憶する記憶部、映像・音声データをエンコード・デコード処理するエンコード・デコード処理部、及び複数の情報処理装置が接続されるローカルネットワークと外部ネットワークとの間のデータ伝送を実行する通信装置とを具備するデータ伝送装置における電源制御方法において、前記通信装置への電源供給をオンにするステップと、前記複数の情報処理装置の何れか一つから送信される映像・音声データ入出力要求を受信した後、前記入力部、前記出力部及び前記エンコード・デコード処理部の使用状態を確認するステップと、前記確認ステップによる確認後、前記入力部及び前記出力部に対して前記映像・音声データ入力開始要求を送信した情報処理装置を割当てるとともに、前記エンコード・デコード処理部に対して前記複数の情報処理装置を割当てないステップと、前記確認ステップによる確認後、前記入力部への電源供給をオンにし、前記出力部への電源供給をオンにし、前記エンコード・デコード処理部への電源供給をオフにするステップとを具備することを特徴とする。